(57)【要約】【課題】第１殻部材と第２殻部材との間に仕切板を設置する構造の熱交換器で、熱膨張あるいは収縮に伴う異音の発生を抑制する。【解決手段】熱交換器の通路６は、通路の内側を流れる内流気体の流入口を有する第１殻部材３０と、内流気体の流出口を有する第２殻部材４０と、第１殻部材および第２殻部材とは異なる材料で形成されて、内流気体の流通口５４を有する仕切板５０とを備え、第１殻部材と第２殻部材との間に仕切板を設置した状態で、第１殻部材および第２殻部材を気密に接合する。そして、第１殻部材および第２殻部材の少なくとも一方は、仕切板の外縁端部に接しておらず、且つ、外縁端部を避けた位置で仕切板を押さえる支持部４３を有する。こうすれば、熱膨張あるいは収縮しても仕切板の外縁端部が第１殻部材および第２殻部材の少なくとも一方とこすれ合うことがないので、軋みによる異音の発生を抑制できる。【選択図】図５
2018013290.tif 000002
【特許請求の範囲】
【請求項１】
通路の内側を流れる内流気体と、該通路の外側を流れる外流気体との間で熱交換を行う熱交換器において、
前記通路は、
前記内流気体の流入口を有する第１殻部材と、
前記内流気体の流出口を有する第２殻部材と、
前記第１殻部材および前記第２殻部材とは異なる材料で形成されて、前記内流気体の流通口を有する仕切板と
を備え、
前記第１殻部材と前記第２殻部材との間に前記仕切板を配置した状態で、該第１殻部材および該第２殻部材が気密に接合されており、
前記第１殻部材および前記第２殻部材の少なくとも一方は、前記仕切板の外縁端部に接しておらず、且つ、該外縁端部を避けた位置で該仕切板を押さえる支持部を有する
ことを特徴とする熱交換器。
【請求項２】
請求項１に記載の熱交換器において、
前記仕切板は、外周から径方向の外側に突き出た複数の突出部を有し、
前記第１殻部材および前記第２殻部材の少なくとも一方は、前記突出部の突出方向の端部を避けた位置で該突出部を押さえる複数の前記支持部を有する
ことを特徴とする熱交換器。
【請求項３】
請求項２に記載の熱交換器において、
前記仕切板には、前記突出部に隣接する径方向の内側の箇所に前記流通口が設けられている
ことを特徴とする熱交換器。
【発明の詳細な説明】
【技術分野】
【０００１】
本発明は、通路の内側を流れる内流気体と通路の外側を流れる外流気体との間で熱交換を行う熱交換器に関する。
【背景技術】
【０００２】
室内空気を取り入れて温風を吹き出す温風暖房機には、熱交換器を搭載したものがある。熱交換器の通路の内側には、バーナでの燃焼によって生じた高温の燃焼排気が流れており、取り入れた室内空気が熱交換器の通路の外側を流れると、通路の内側を流れる燃焼排気との熱交換で加熱される。そのため、取り入れた室内空気が熱交換器を通過すると、温風が吹き出されて室内を暖めることが可能となる。
【０００３】
こうした熱交換器では、複数の筒状ユニットを直列に連結して通路を形成した構造が知られている（例えば、特許文献１）。各筒状ユニットは、燃焼排気の流入口を有する第１殻部材と、燃焼排気の流出口を有する第２殻部材との間に、燃焼排気の流通口を複数有する仕切板を挟み込んだ状態で、第１殻部材および第２殻部材の周縁部分がカシメ加工などで気密に接合されている。そして、一の筒状ユニットの流出口に対して次の筒状ユニットの流入口が気密に連結されている。筒状ユニット内に設置された仕切板は、熱交換器の通路の内側における燃焼排気の流れを、第１殻部材および第２殻部材の内面に沿わせる流れと、次の筒状ユニットに向けて通す流れとに振り分ける機能を有している。
【先行技術文献】
【特許文献】
【０００４】
【特許文献１】特開平７−３１８２８０号公報
【発明の概要】
【発明が解決しようとする課題】
【０００５】
しかし、第１殻部材と第２殻部材との間に仕切板を挟み込んだ構造の熱交換器では、燃焼排気の流通の開始あるいは停止に伴って、「カンカン」といった異音が発生するという問題があった。特に、第１殻部材および第２殻部材と仕切板とで異種の金属材料を用いた場合に異音が発生し易いことから、熱膨張あるいは収縮の違いによる軋みが異音の原因と考えられる。もちろん、仕切板と第１殻部材および第２殻部材との間に隙間を設けて、仕切板を挟み込まない構造とすれば、こうした熱膨張あるいは収縮に伴う異音は発生しないものの、その代わりに、燃焼排気の流れを受けるなどして仕切板が第１殻部材と第２殻部材との間で動くので、接触音が発生してしまう。
【０００６】
この発明は従来の技術における上述した課題に対応してなされたものであり、第１殻部材と第２殻部材との間に仕切板を設置する構造の熱交換器で、熱膨張あるいは収縮に伴う異音の発生を抑制することが可能な技術の提供を目的とする。
【課題を解決するための手段】
【０００７】
上述した課題を解決するために、本発明の熱交換器は次の構成を採用した。すなわち、
通路の内側を流れる内流気体と、該通路の外側を流れる外流気体との間で熱交換を行う熱交換器において、
前記通路は、
前記内流気体の流入口を有する第１殻部材と、
前記内流気体の流出口を有する第２殻部材と、
前記第１殻部材および前記第２殻部材とは異なる材料で形成されて、前記内流気体の流通口を有する仕切板と
を備え、
前記第１殻部材と前記第２殻部材との間に前記仕切板を配置した状態で、該第１殻部材および該第２殻部材が気密に接合されており、
前記第１殻部材および前記第２殻部材の少なくとも一方は、前記仕切板の外縁端部に接しておらず、且つ、該外縁端部を避けた位置で該仕切板を押さえる支持部を有する
ことを特徴とする。
【０００８】
仕切板が第１殻部材および第２殻部材とは異なる材料で形成されていると、材料によって熱膨張率（温度当たりの膨張の割合）が異なるので、内流気体の温度変化に伴って、仕切板と第１殻部材および第２殻部材との間で熱膨張あるいは収縮の違いが生じることがある。そして、第１殻部材と第２殻部材との間に仕切板が挟み込まれた構造の熱交換器では、こうした熱膨張あるいは収縮の違いによって、仕切板の特に外縁端部（エッジ部分）が第１殻部材および第２殻部材と強くこすれ合うことで、軋みによる異音が発生する。これに対して、本発明の熱交換器では、例えば、第１殻部材および第２殻部材の何れか一方が仕切板の外縁端部に接していないことにより、熱膨張あるいは収縮しても仕切板の外縁端部が第１殻部材および第２殻部材の何れか一方とこすれ合うことがない。加えて、この場合は、第１殻部材および第２殻部材の何れか他方が外縁端部に接しているものの、第１殻部材および第２殻部材の両方が外縁端部に接している（外縁端部を両側から挟んでいる）場合に比べて、外縁端部とこすれ合う力は弱まる。そのため、異音の発生を抑制することができる。また、第１殻部材および第２殻部材の両方が仕切板の外縁端部に接していないことにより、熱膨張あるいは収縮しても仕切板の外縁端部が第１殻部材および第２殻部材の何れに対してもこすれ合うことがないので、異音の発生を更に抑制することができる。
【０００９】
そして、本発明の熱交換器では、仕切板の外縁端部を避けた位置で支持部が仕切板を押さえていることにより、内流気体の流れなどを受けても仕切板が動くことはないので、仕切板と第１殻部材および第２殻部材との間での接触音の発生を回避することができる。
【００１０】
上述した本発明の熱交換器では、仕切板に、外周から径方向の外側に突き出た複数の突出部を設けると共に、第１殻部材および第２殻部材の少なくとも一方に、突出部の突出方向の端部を避けた位置で突出部を押さえる複数の支持部を設けることとしてもよい。
【００１１】
このように、第１殻部材と第２殻部材とで仕切板を支える位置を、仕切板の全周ではなく、突出部に限定することにより、熱膨張あるいは収縮の際に異音が発生する部分を減らすことができるので、仕切板の全周を支える場合に比べて異音を低減することが可能となる。
【００１２】
また、上述した本発明の熱交換器の仕切板には、突出部に隣接する径方向の内側の箇所に流通口を設けておいてもよい。
【００１３】
このように突出部と流通口との位置関係を対応させることにより、例えば、第１殻部材および第２殻部材に比して仕切板が大きく膨張しても、流通口が変形する（開口面積が小さくなる）ことで膨張を吸収することが可能なので、突出部と流通口との位置関係が対応していない場合に比べて、突出部に伝わる膨張を小さくする（突出部の突出方向の端部における移動量を小さくする）ことができる。また同様に、第１殻部材および第２殻部材に比して仕切板が大きく収縮しても、流通口が変形する（開口面積が大きくなる）ことで収縮を吸収することが可能なので、突出部に伝わる収縮を小さくすることができる。その結果、熱膨張あるいは収縮に伴って突出部で生じる異音を低減することが可能となる。
【図面の簡単な説明】
【００１４】
【図１】本実施例の熱交換器５を搭載した温風暖房機１の内部構造を示す説明図である。
【図２】本実施例の熱交換器５の構造を示す説明図である。
【図３】本実施例の筒状ユニット６を分解した状態を示した斜視図である。
【図４】従来例の熱交換器５における仕切板５０の設置構造を示した説明図である。
【図５】本実施例の熱交換器５における仕切板５０の設置構造を示した説明図である。
【図６】第１変形例の筒状ユニット６を分解した状態を示した斜視図である。
【図７】第１変形例の仕切板５０が熱膨張する様子を示した説明図である。
【図８】第２変形例の熱交換器５における仕切板５０の設置構造を示した説明図である。
【発明を実施するための形態】
【００１５】
図１は、本実施例の熱交換器５を搭載した温風暖房機１の内部構造を示す説明図である。図示した温風暖房機１は、機器全体を覆うハウジング２の内側に、室内から取り入れた空気を加熱するための加熱室３が区画されている。この加熱室３の内部には、燃料ガスを燃焼させるバーナ１０を内蔵した燃焼筒４や、燃焼筒４の上方に設置された熱交換器５や、熱交換器５の上方に設置されて下方に向けて気流を発生させる気流ファン９などが設けられている。
【００１６】
燃焼筒４は、横方向に設置されて一端が加熱室３の側面の隔壁を貫通しており、貫通側の端部にバーナ１０が内蔵されている。バーナ１０には、ガス配管１１を介して燃料ガスが供給され、ガス配管１１には、ガス配管１１を開閉する電磁弁１２と、ガス配管１１を通過する燃料ガスの流量を調節する比例弁１３とが設けられている。
【００１７】
また、燃焼筒４には、バーナ１０側の端部に、バーナ１０に向けて燃焼用空気を送る燃焼ファン１４が接続されている。燃焼ファン１４には、内部に羽根車１４ａを備えた遠心式ファンを採用しており、屋外から空気を導く給気管１５が吸気部１４ｂに接続され、吐出部１４ｃが燃焼筒４に接続されている。羽根車１４ａを回転させると、屋外から給気管１５を介して取り入れた空気がバーナ１０に送られる。こうして燃焼用空気を供給しながら、電磁弁１２および比例弁１３を開弁して燃料ガスを供給すると共に、図示しない点火プラグで火花を飛ばすと、燃焼筒４内のバーナ１０で燃料ガスの燃焼が開始される。
【００１８】
熱交換器５は、燃焼筒４と略平行に横方向に設置されており、一端が上流連結ボックス１６を介して、燃焼筒４のバーナ１０とは反対側の端部と接続されており、他端が下流連結ボックス１７を介して、屋外に排気を導く排気管１８と接続されている。尚、本実施例の給気管１５および排気管１８は、ハウジング２の内部から屋外に突出する部分が一体となっており、給気管１５の内側に排気管１８が配置された二重管構造になっている。
【００１９】
バーナ１０での燃料ガスの燃焼によって生じる高温（６００〜７００度）の燃焼排気は、燃焼ファン１４の送風で燃焼筒４から熱交換器５へと送られる。そして、熱交換器５の内側を通過した燃焼排気は、排気管１８を介して屋外に排出される。尚、本実施例の熱交換器５の構造については、後ほど別図を用いて説明する。また、本実施例の燃焼排気は、本発明の「内流気体」に相当している。
【００２０】
気流ファン９は、いわゆるクロスフローファンが採用されており、熱交換器５と略平行に横方向に設置されている。ハウジング２の背面上部には、図示しない吸込口が形成されており、気流ファン９を駆動すると、室内空気が吸込口から加熱室３に取り入れられて、加熱室３内の下方に向けて室内空気の流れが生じる。そして、熱交換器５の外側を通過する室内空気は、熱交換器５の内側を通過する燃焼排気との熱交換によって加熱された後、燃焼筒４の外側を通過しながら更に加熱される。ハウジング２の前面下部には、図示しない吹出口が形成されており、加熱室３を通過した温風が吹出口から吹き出して、室内を暖める。尚、本実施例の加熱室３に取り入れられた室内空気は、本発明の「外流気体」に相当している。
【００２１】
図２は、本実施例の熱交換器５の構造を示す説明図である。図示されるように熱交換器５は、複数（図示した例では７つ）の筒状ユニット６を直列に連結して蛇腹状に通路が形成されている。前述したように熱交換器５は内側に燃焼排気が流れるようになっており、燃焼排気の流通方向の上流側（図中の左側）の筒状ユニット６には、上流連結ボックス１６と連通する流入管７が接続され、下流側（図中の右側）の筒状ユニット６には、下流連結ボックス１７と連通する流出管８が接続されている。尚、本実施例の筒状ユニット６は、本発明の「通路」に相当している。
【００２２】
複数の筒状ユニット６は、基本的には同様の構造になっており、第１殻部材３０と第２殻部材４０とを接合して中空円盤状に形成されている。また、図２では、一部の筒状ユニット６について内部が見えるように表しており、各筒状ユニット６の第１殻部材３０と第２殻部材４０との間には仕切板５０が設置されている。
【００２３】
図３は、本実施例の筒状ユニット６を分解した状態を示した斜視図である。尚、図中の一点鎖線は、筒状ユニット６の連結の中心線を表している。図示されるように第１殻部材３０は、燃焼排気が流入する流入口３１を有し、燃焼排気の流通方向（図中の手前側）に拡径する形状に形成されると共に、大径側に円環状のフランジ部３２が設けられている。一方、第２殻部材４０は、第１殻部材３０のフランジ部３２と向かい合うフランジ部４２が設けられており、燃焼排気の流通方向に縮径する形状に形成されると共に、小径側に燃焼排気が流出する流出口４１を有している。
【００２４】
第１殻部材３０および第２殻部材４０は、第１殻部材３０のフランジ部３２の周縁部分を、第２殻部材４０のフランジ部４２を包み込むように折り返して、カシメ加工で気密に接合される。また、流入口３１は、第１殻部材３０の小径側を筒状ユニット６の内側に向けて折り返して形成されているのに対して、流出口４１は、第２殻部材４０の小径側を筒状ユニット６の外側に向けて突出させて形成されており、一の筒状ユニット６の流出口４１を次の筒状ユニット６の流入口３１に挿入してカシメ加工で気密に連結される。
【００２５】
第１殻部材３０と第２殻部材４０との間に設置される仕切板５０は、中央部分に第１殻部材３０側へ膨らんだ曲面部５１が形成されると共に、曲面部５１の周辺部分に円環状の平面部５２が形成されている。そして、曲面部５１には、燃焼排気が流通する流通口としての複数（図示した例では４つ）の中央孔５３が等間隔に設けられており、平面部５２には、流通口としての複数（図示した例では８つ）の周辺孔５４が等間隔に設けられている。
【００２６】
本実施例の筒状ユニット６では、第１殻部材３０のフランジ部３２の内周に、浅い円形の凹部３３が形成されていると共に、第２殻部材４０のフランジ部４２に、第１殻部材３０側に向けて突出した円環状の凸部４３が形成されている。仕切板５０は、平面部５２の周縁部分を第１殻部材３０の凹部３３に収容した状態で、第１殻部材３０と第２殻部材４０とが接合されると、第２殻部材４０の凸部４３によって平面部５２が押えられて固定される。尚、本実施例の凸部４３は、本発明の「支持部」に相当している。
【００２７】
第１殻部材３０の流入口３１から流入した燃焼排気の流れは、仕切板５０によって中央孔５３を通過する流れと、周辺孔５４を通過する流れとに振り分けられる。中央孔５３を通過しなかった燃焼排気は、曲面部５１の形状に従い外周方向（第１殻部材３０の内面側）に向けて流れる。そして、第１殻部材３０の内面に沿って流れる燃焼排気は、周辺孔５４を通過すると、第２殻部材４０の内面に沿って流れ、中央孔５３をそのまま通過した燃焼排気と合流した後、流出口４１から流出して次の筒状ユニット６に流入する。
【００２８】
このような熱交換器５では、複数の筒状ユニット６を直列に連結して蛇腹状に形成することで通路の表面積を確保することができると共に、各筒状ユニット６内に仕切板５０を設置することで、熱交換器５の内側に第１殻部材３０および第２殻部材４０の内面に沿った燃焼排気の流れができるので、熱交換器５の外側を流れる室内空気との熱交換を促進することが可能となる。
【００２９】
尚、本実施例の第１殻部材３０および第２殻部材４０は、仕切板５０とは異なる金属材料を用いて形成されている。すなわち、熱交換の効率を高めるために、第１殻部材３０および第２殻部材４０には、仕切板５０に比べて熱伝導率の高い材料（例えば、アルミニウムの鍍金を施した鋼板）を用いている。一方、仕切板５０には、第１殻部材３０および第２殻部材４０に比べて耐食性の高い材料（例えば、ステンレス鋼板）を用いている。
【００３０】
以上のように第１殻部材３０と第２殻部材４０との間に仕切板５０を設置する構造の熱交換器５では、従来、燃焼排気の流通の開始あるいは停止に伴って、「カンカン」といった異音が発生することがあった。本実施例の熱交換器５では、こうした異音の発生を抑制することが可能であり、以下では、この点について説明するが、まず、比較として異音が発生し易い従来例の熱交換器５について簡単に説明する。
【００３１】
図４は、従来例の熱交換器５における仕切板５０の設置構造を示した説明図である。図４では、筒状ユニット６の連結の中心線を含む平面で筒状ユニット６を切断した断面を表しており、特に第１殻部材３０と第２殻部材４０との接合部分の付近を拡大している。図示されるように従来例の熱交換器５の筒状ユニット６では、第１殻部材３０のフランジ部３２と第２殻部材４０のフランジ部４２との間に仕切板５０の平面部５２の周縁部分を挟み込んだ状態で、第１殻部材３０のフランジ部３２の周縁部分を、第２殻部材４０のフランジ部４２を包み込むように折り返して、カシメ加工で気密に接合されている。
【００３２】
燃焼排気の流通の開始に伴い、筒状ユニット６に流入した燃焼排気の流れが仕切板５０に当たることにより、仕切板５０は加熱されて熱膨張する。特に、第１殻部材３０および第２殻部材４０と仕切板５０とで異種の金属材料を用いていると、材料によって熱膨張率（温度当たりの膨張の割合）が異なるので、例えば、第１殻部材３０および第２殻部材４０よりも熱膨張率が大きい材料を用いた仕切板５０では、第１殻部材３０および第２殻部材４０に比べて大きく膨張する。
【００３３】
このとき、第１殻部材３０のフランジ部３２と第２殻部材４０のフランジ部４２との間に挟み込まれている仕切板５０の平面部５２は、特に外縁端部（以下、エッジ部分）が第１殻部材３０のフランジ部３２の面および第２殻部材４０のフランジ部４２の面と強くこすれ合うので、軋みによる異音が発生する。同様に、燃焼排気の流通の停止に伴い、仕切板５０が放熱して収縮する際にも、平面部５２のエッジ部分が第１殻部材３０のフランジ部３２の面および第２殻部材４０のフランジ部４２の面と強くこすれ合って異音が発生する。
【００３４】
もちろん、仕切板５０の平面部５２と第１殻部材３０のフランジ部３２および第２殻部材４０のフランジ部４２との間に隙間を設けて、仕切板５０の平面部５２を挟み込まない構造とすれば、仕切板５０が熱膨張あるいは収縮しても平面部５２のエッジ部分が第１殻部材３０のフランジ部３２の面および第２殻部材４０のフランジ部４２の面とこすれ合うことはないので、異音の発生を防ぐことが可能である。ただし、これでは、仕切板５０が燃焼排気の流れを受けると第１殻部材３０と第２殻部材４０との間で動くので、接触音が発生してしまう。
【００３５】
図５は、本実施例の熱交換器５における仕切板５０の設置構造を示した説明図である。図５では、図４と同様に、筒状ユニット６の連結の中心線を含む平面で筒状ユニット６を切断した断面を表しており、図５（ａ）では、特に第１殻部材３０と第２殻部材４０との接合部分の付近を拡大している。前述したように本実施例の熱交換器５の筒状ユニット６では、第１殻部材３０のフランジ部３２の内周に凹部３３が形成されており、第２殻部材４０のフランジ部４２に凸部４３が形成されている。そして、第１殻部材３０の凹部３３に仕切板５０の平面部５２の周縁部分を収容した状態で、第１殻部材３０のフランジ部３２と第２殻部材４０のフランジ部４２とがカシメ加工で気密に接合されており、第２殻部材４０の凸部４３が、仕切板５０の平面部５２の外縁端部（エッジ部分）ではなく、平面部５２の面を押さえるようになっている。
【００３６】
このように本実施例の熱交換器５では、第２殻部材４０のフランジ部４２が、仕切板５０の平面部５２のエッジ部分に接していないことにより、仕切板５０が熱膨張あるいは収縮しても平面部５２のエッジ部分が第２殻部材４０のフランジ部４２の面とこすれ合うことはない。また、第１殻部材３０は、凹部３３の面が仕切板５０の平面部５２のエッジ部分と接しているものの、平面部５２のエッジ部分を第１殻部材３０および第２殻部材４０の両側から挟んでいる場合に比べて、平面部５２のエッジ部分とこすれ合う力は弱くなるので、従来例の熱交換器５よりも異音の発生を抑制することができる。
【００３７】
そして、本実施例の熱交換器５では、第２殻部材４０の凸部４３が、仕切板５０の平面部５２のエッジ部分を避けて、平面部５２の面を押さえていることにより、燃焼排気の流れを受けても仕切板５０が動くことはないので、仕切板５０と第１殻部材３０および第２殻部材４０との間での接触音の発生を回避することができる。
【００３８】
尚、仕切板５０を剪断加工によって形成すると、図５（ｂ）に拡大して示されるように、平面部５２の切り口の一方のエッジ部分には「ダレ」と呼ばれる丸みができ、他方のエッジ部分には「バリ」と呼ばれる突起ができることがある。この場合は、第１殻部材３０の凹部３３に平面部５２のダレ側の面を収容するようにすれば、バリ側の面を収容するのに比べて、第１殻部材３０の凹部３３の面に対する平面部５２のエッジ部分の引っ掛かりが少ないので、異音の発生を抑制することができる。
【００３９】
上述した本実施例の熱交換器５には、次のような変形例も存在する。以下では、上述の実施例とは異なる点を中心に変形例について説明する。尚、変形例の説明では、上述の実施例と同様の構成については同じ符号を付して説明を省略する。
【００４０】
図６は、第１変形例の筒状ユニット６を分解した状態を示した斜視図である。図示されるように第１変形例の仕切板５０には、平面部５２の外周から径方向の外側に突き出した複数（図示した例では８つ）の突出部５５が設けられている。このことと対応して、第１変形例の第１殻部材３０のフランジ部３２の内周には、仕切板５０の突出部５５を収容する複数（図示した例では８つ）の凹部３３が形成されている。尚、図６では、第１殻部材３０の凹部３３に仕切板５０の突出部５５を収容した状態を表している。
【００４１】
また、第１変形例の第２殻部材４０のフランジ部４２には、凸部４３が全周ではなく、仕切板５０の突出部５５の位置に対応して複数（図示した例では８つ）形成されている。そして、第１殻部材３０のフランジ部３２と第２殻部材４０のフランジ部４２とがカシメ加工で気密に接合されると、第２殻部材４０の凸部４３が、仕切板５０の突出部５５の突出方向の端部（エッジ部分）を避けて、突出部５５の面を押さえるようになっている。
【００４２】
このように第１変形例の熱交換器５では、第１殻部材３０の凹部３３と第２殻部材４０の凸部４３とで仕切板５０を支持する位置を、全周ではなく、突出部５５に限定することにより、仕切板５０が熱膨張あるいは収縮する際に異音を発する部分（仕切板５０と第１殻部材３０および第２殻部材４０との接触部分）を減らすことができるので、仕切板５０の全周を支持する場合に比べて異音を低減することが可能となる。
【００４３】
また、図７は、第１変形例の仕切板５０が熱膨張する様子を示した説明図である。図７では、第２殻部材４０側から見た仕切板５０を、平面部５２の一部を拡大して表している。図示されるように第１変形例の仕切板５０では、突出部５５と周辺孔５４とが対応して設けられており、突出部５５に隣接する径方向の内側の箇所に周辺孔５４が開口している。
【００４４】
これにより、仕切板５０が熱膨張しても、周辺孔５４が変形する（孔の面積が小さくなる）ことで膨張を吸収することが可能なので、突出部５５の径方向の内側に周辺孔５４が開口していない場合に比べて、突出部５５に伝わる膨張を小さくする（突出部５５のエッジ部分の移動量を小さくする）ことができる。また同様に、仕切板５０が収縮しても、周辺孔５４が変形する（孔の面積が大きくなる）ことで収縮を吸収することが可能なので、突出部５５に伝わる収縮を小さくすることができる。その結果、仕切板５０の熱膨張あるいは収縮に伴って突出部５５で生じる異音を低減することが可能となる。
【００４５】
図８は、第２変形例の熱交換器５における仕切板５０の設置構造を示した説明図である。図８では、筒状ユニット６の連結の中心線を含む平面で筒状ユニット６を切断した断面を表しており、特に第１殻部材３０と第２殻部材４０との接合部分の付近を拡大している。前述した実施例の熱交換器５（図５（ａ）参照）では、第２殻部材４０のフランジ部４２にだけ凸部４３が形成されていたのに対して、第２変形例の熱交換器５では、第１殻部材３０のフランジ部３２にも第２殻部材４０側に向けて突出した凸部３５が形成されている。そして、第１殻部材３０の凸部３５および第２殻部材４０の凸部４３は、何れも仕切板５０の平面部５２の外縁端部（エッジ部分）を避けて、仕切板５０の平面部５２の面を両側から押さえるようになっている。尚、第２変形例における第１殻部材３０の凸部３５および第２殻部材４０の凸部４３は、本発明の「支持部」に相当している。
【００４６】
このような第２変形例の熱交換器５では、第１殻部材３０および第２殻部材４０の何れも、仕切板５０の平面部５２のエッジ部分に接していないことにより、仕切板５０が熱膨張あるいは縮小しても平面部５２のエッジ部分が第１殻部材３０および第２殻部材４０の何れに対してもこすれ合うことはないので、前述した実施例よりも更に異音の発生を抑制することができる。また、第２変形例の熱交換器５では、第１殻部材３０の凸部３５と第２殻部材４０の凸部４３とで仕切板５０の平面部５２の面を両側から押さえることにより、仕切板５０が動くことはないので、仕切板５０と第１殻部材３０および第２殻部材４０との間での接触音の発生を回避することができる。
【００４７】
以上、本実施例および変形例の熱交換器５について説明したが、本発明は上記の実施例および変形例に限られるものではなく、その要旨を逸脱しない範囲において種々の態様で実施することが可能である。
【００４８】
例えば、前述した実施例および変形例では、温風暖房機１に搭載された熱交換器５を例に、燃焼排気を内流気体とし、室内空気を外流気体として説明した。しかし、内流気体および外流気体は、これに限定されず、通路の内側と外側とで温度差のある気体が流れる熱交換器５であれば、本発明を好適に適用することができる。
【符号の説明】
【００４９】
１…温風暖房機、            ２…ハウジング、            ３…加熱室、
４…燃焼筒、                ５…熱交換器、              ６…筒状ユニット、
７…流入管、                ８…流出管、                ９…気流ファン、
１０…バーナ、              １１…ガス配管、            １２…電磁弁、
１３…比例弁、              １４…燃焼ファン、          １５…給気管、
１６…上流連結ボックス、    １７…下流連結ボックス、    １８…排気管、
３０…第１殻部材、          ３１…流入口、              ３２…フランジ部、
３３…凹部、                ３５…凸部、                ４０…第２殻部材、
４１…流出口、              ４２…フランジ部、          ４３…凸部、
５０…仕切板、              ５１…曲面部、              ５２…平面部、
５３…中央孔、              ５４…周辺孔、              ５５…突出部。
【図１】
2018013290.tif 000003
【図２】
2018013290.tif 000004
【図３】
2018013290.tif 000005
【図４】
2018013290.tif 000006
【図５】
2018013290.tif 000007
【図６】
2018013290.tif 000008
【図７】
2018013290.tif 000009
【図８】
2018013290.tif 000010